(57)【要約】【課題】復水の再蒸発に伴うモヤモヤとした湯気を確実に消すことのできる小型で安価な蒸気トラップの消湯気器を提供する。【解決手段】  蒸気トラップ３の出口２に複数の細管４を接続する。複数の細管４の外表面には、熱放射部材としてのセラミックを塗布する。複数の細管４の右端部にＬ字状のエルボ５を接続する。  蒸気トラップ３の出口２から排出される高温状態の復水は、複数の細管４内を分配されて流下する間に、その熱が熱放射部材としてのセラミックから遠赤外線として大気中へ放熱されて冷却されることにより、小径貫通孔６から大気中へ排出される際には復水の温度が低下しており、再蒸発してモヤモヤと湯気が立ち昇ることがない。【選択図】 図１
2007187258.tif 000002
【特許請求の範囲】
【請求項１】
蒸気トラップの出口から排出される復水が再蒸発してモヤモヤと立ち昇る湯気を減少又は消すものにおいて、蒸気トラップの出口に復水が流下することのできる複数の細管を連設すると共に、当該複数の細管の外表面に、熱を遠赤外線に変換して放射する熱放射部材を取り付けることにより、当該複数の細管内を復水が流下する間に復水の保有する熱を大気中に放熱することによって、復水の再蒸発蒸気の発生を減少又は防止することを特徴とする蒸気トラップの消湯気器。
【発明の詳細な説明】
【技術分野】
【０００１】
本発明は、蒸気トラップの出口から排出される復水の再蒸発に伴うモヤモヤと立ち昇る湯気を減少又は消すことのできる蒸気トラップの消湯気器に関する。
【背景技術】
【０００２】
蒸気トラップの消湯気器は、蒸気トラップの出口に排出管と上下に位置する水溜部を設けて、再蒸発した蒸気を上部の水溜部を通過させて冷却することによって、モヤモヤと立ち昇る再蒸発蒸気の湯気を減少又は消すことができるものである。
【０００３】
この蒸気トラップの消湯気器では、モヤモヤとした湯気を確実に消すために、排出管の上下に数多くの水溜部を設ける必要があり、消湯気器そのものが大型化して高価なものとなってしまう問題点があった。
【特許文献１】特公平４−６７０８０号公報
【発明の開示】
【発明が解決しようとする課題】
【０００４】
解決しようとする課題は、復水の再蒸発に伴うモヤモヤとした湯気を確実に消すことのできる小型で安価な蒸気トラップの消湯気器を提供することである。
【課題を解決するための手段】
【０００５】
本発明は、蒸気トラップの出口から排出される復水が再蒸発してモヤモヤと立ち昇る湯気を減少又は消すものにおいて、蒸気トラップの出口に復水が流下することのできる複数の細管を連設すると共に、当該複数の細管の外表面に、熱を遠赤外線に変換して放射する熱放射部材を取り付けることにより、当該複数の細管内を復水が流下する間に復水の保有する熱を大気中に放熱することによって、復水の再蒸発蒸気の発生を減少又は防止するものである。
【発明の効果】
【０００６】
本発明の蒸気トラップの消湯気器は、蒸気トラップの出口に取り付けた複数の細管内を復水が流下する間に冷却されることにより、再蒸発蒸気のモヤモヤと立ち昇る湯気を消すことができ、小型で安価な蒸気トラップの消湯気器とすることができる。
【０００７】
複数の細管の外表面に、熱を遠赤外線に変換して放射する熱放射部材を取り付けたことにより、蒸気トラップから排出される復水の熱が、熱放射部材により遠赤外線に変換されて大気中へ放射されることにより冷却され、モヤモヤと立ち昇る湯気を防止することができる。
【発明を実施するための最良の形態】
【０００８】
本発明は、蒸気トラップの出口に複数の細管を連設するものであるが、複数の細管としては、銅やアルミやステンレス等の金属製で、内径が１ミリメートル以下の極細管から２〜１０ミリメートル程度の細管が適し、蒸気トラップの出口から排出される復水の量や温度に応じて適宜選定することができる。
【０００９】
復水の熱を遠赤外線に変換して放射する熱放射部材としては、例えば、セラミックや高分子材料等を使用することができる。セラミックとしては、コージライト、遷移元素酸化物系セラミック、アルミナ、ジルコニア、チタニア、あるいは、酸化ケイ素と酸化アルミニウムの化合物等既知のものを使用することができるが、熱から遠赤外線への変換効率の高いものが適する。
【実施例１】
【００１０】
本実施例においては図１に示すように、入口１と出口２を備えた蒸気トラップ３と、蒸気トラップ３の出口２に連設した複数の細管４、及び、複数の細管４の外表面に塗布した図示はしないが熱放射部材としてのセラミックとで蒸気トラップの消湯気器を構成する。
【００１１】
熱放射部材としてのセラミックは、酸化ケイ素と酸化アルミニウムの化合物と水とを混合した液体状のものを、複数の細管４の外周に塗布して乾燥させ積層した膜状のもので、複数の細管４のほぼ全長に渡って取り付ける。熱放射部材としてのセラミックの膜厚や取り付け長さは、蒸気トラップ３から排出される復水の量や温度に応じて適宜調節することができる。
【００１２】
蒸気トラップ３の入口１は図示しない蒸気使用装置と接続することにより、蒸気使用装置で蒸気の凝縮した復水と一部蒸気との混合流体が、蒸気トラップ３内に流入する。蒸気トラップ３は、復水は出口２から外部へ排出するが、蒸気は排出することのない自動弁の一種である。
【００１３】
複数の細管４は、本実施例においては管内径が１ミリメートルないし６ミリメートルの銅管を、内周部に位置する細管４は短く、一方、外周部に位置する細管４ほど長くし、且つ、外周部の細管４は略Ｖ字状あるいは略Ｕ字状に曲げ加工して取り付ける。また、複数の細管４はそれぞれ極力接触しないように配置して、大気中への放熱が阻害されないようにする。
【００１４】
複数の細管４の右端にはＬ字状の配管部材であるエルボ５を接続する。複数の細管４の両端部と、蒸気トラップ３の出口２及びエルボ５の接続部は、溶接又はろう付け等によって気密に接合する。複数の細管４の総有効内径断面積は、蒸気トラップ３の出口２の内径断面積と、及び、エルボ５の内径断面積と極力等しくなるように選定する。
【００１５】
エルボ５の下端部には、小径貫通孔６を設けたオリフィス・プレート７を取り付ける。小径貫通孔６の断面積は、エルボ５の内径断面積よりも小さくして、絞り作用を果たすものである。
【００１６】
蒸気トラップ３の出口２から排出される復水は高温状態であるが、複数の細管４内を分配されて流下する間に、複数の細管４の外表面に塗布した熱放射部材としてのセラミックから遠赤外線として大気中へ熱が放熱されて冷却されることにより、オリフィス・プレート７の小径貫通孔６から大気中へ排出される際には復水の温度が低下しており、再蒸発してモヤモヤと湯気が立ち昇ることがない。
【００１７】
小径貫通孔６によってエルボ５内の流路が絞られることにより、蒸気トラップ３の出口２から排出される復水は、複数の細管４とエルボ５内に長時間滞留することとなり、大気中への放熱が促進される。
【００１８】
このように、蒸気トラップ３の出口２に熱放射部材としてのセラミックを塗布した複数の細管４を接続するだけで、復水の再蒸発に伴うモヤモヤとした湯気を確実に消すことのできる小型で安価な蒸気トラップの消湯気器とすることができる。
【００１９】
本実施例においては、複数の細管４の内、内周部に位置する細管４は短く、一方、外周部に位置する細管４ほど長くし、且つ、外周部の細管４は略Ｖ字状あるいは略Ｕ字状に曲げ加工して取り付けた例を示したが、細管４の長さは、蒸気トラップ３から排出される復水の量、温度及び細管４の管径に応じて適宜選定することができる。
【図面の簡単な説明】
【００２０】
【図１】本発明の蒸気トラップの消湯気器の実施例を示す一部断面構成図。
【符号の説明】
【００２１】
１  入口
２  出口
３  蒸気トラップ
４  複数の細管
５  エルボ
６  小径貫通孔
７  オリフィス・プレート
【図１】
2007187258.tif 000003